(57)【特許請求の範囲】
【請求項１】
外周面に複数の位置決め溝が周方向に所定間隔で形成され、液体を噴射するノズル部に螺着されてそのノズル部に対するねじ込み量を操作することで液体の噴射モードを切り替えるノズルキャップに装着されるブラシアタッチメントであって、
前記ノズルキャップが差し込まれる差込口を有し、この差込口の内周面に、前記位置決め溝と係合する位置決め突起を形成したことを特徴とするブラシアタッチメント。
【請求項２】
ノズル部を有するスプレー装置本体と、前記ノズル部に螺着されてそのノズル部に対するねじ込み量を操作することで液体の噴射モードを切り替えるノズルキャップと、前記ノズルキャップが差し込まれる差込口を有するブラシアタッチメントとを備えるブラシアタッチメント付スプレー装置であって、
前記ノズルキャップの外周面および前記ブラシアタッチメントにおける前記差込口の内周面のうちの少なくとも一方に、複数の位置決め溝を周方向に所定間隔で形成し、前記ノズルキャップの外周面および前記ブラシアタッチメントにおける前記差込口の内周面のうちの他方に、前記位置決め溝と係合する位置決め突起を形成したことを特徴とするブラシアタッチメント付スプレー装置。
【請求項３】
前記スプレー装置本体は、前記ノズル部の基端側に、そのノズル部の中心軸線から外周までの距離が周方向で変化する断面非円形状部を有し、前記ノズル部回りに前記ブラシアタッチメントが前記ノズルキャップと共に回転するのを止めるように前記断面非円形状部に係合する係止突起を前記ブラシアタッチメントに設けることを特徴とする請求項２に記載のブラシアタッチメント付スプレー装置。
【請求項４】
前記ブラシアタッチメント側および前記スプレー装置本体側のいずれか一方に係止突起を、他方に係止開口部を設け、これら係止突起と係止開口部とを係合させることにより、前記ノズル部回りに前記ブラシアタッチメントが前記ノズルキャップと共に回転するのを止めるようにしたことを特徴とする請求項２に記載のブラシアタッチメント付スプレー装置。
【発明の詳細な説明】
【技術分野】
【０００１】
本発明は、スプレー装置本体のノズル部に螺着されたノズルキャップに着脱自在に装着されるブラシアタッチメントおよびそれを具備するブラシアタッチメント付スプレー装置に関するものである。
【背景技術】
【０００２】
従来、家庭等において手軽に取り扱うことができ、しかも強力な噴出力を得ることができるスプレー装置が例えば特許文献１にて提案されている。
【先行技術文献】
【特許文献】
【０００３】
【特許文献１】実用新案登録第３１７４２１０号公報
【０００４】
上記特許文献１に係るスプレー装置は、例えばペットボトル等の液体容器に装着して使用されるものであり、その本体部分を構成するスプレー装置本体の前部には、液体容器内の液体を噴出する噴出口部が形成され、この噴出口部にブラシ付きノズルが螺着されている。
【０００５】
このスプレー装置においては、スプレー装置本体の噴出口部に対するブラシ付きノズルのねじ込み量を操作することにより、噴射モードを切り替えることができるようになっている。すなわち、スプレー装置本体の噴出口部に対してブラシ付きノズルを緩めると、ブラシ付きノズルから液体を一直線状に勢い良く噴射するジェットモードにすることができる一方、ブラシ付きノズルを締めると、ブラシ付きノズルから液体を拡散させて噴射するシャワーモードにすることができる。
【０００６】
上記ブラシ付きノズルにおいては、例えば網戸やサッシ、タイル目地などの汚れ等を掻き落とすことができるように、密集状態で植設される所定本数のブラシを一単位のブラシユニットとして、複数のブラシユニットがノズル孔を中心に所定径の円形状を呈するように周方向に所定ピッチで配置されている。この場合、ジェットモードとシャワーモードとの切り替えのために、噴出口部に対してブラシ付きノズルを緩める方向、あるいは締める方向に回転させても、複数のブラシユニットが円形状を呈する配置であるため、使用時のブラシ配列に実質的な変化が無く何ら問題はない。
【０００７】
ところで、上記特許文献１に係るスプレー装置で採用されているブラシ付きノズルに代えて、複数のブラシユニットの配置が非円形状を呈するブラシ付きノズルを採用した場合、噴射モードの切り替えによってブラシ付きノズルの使用時のブラシ配列が変化してしまうことがある。一例を挙げると、複数のブラシユニットがノズル孔の液体噴出方向に対して直角を成す方向に直線状に配置されるブラシ付きノズルの場合、噴射モードの切り替え前では複数のブラシユニットが例えば上下方向に並ぶ配列で使用する形態であっても、噴射モードの切り替えのために、噴出口部に対してブラシ付きノズルの回転操作を行うと、複数のブラシユニットが上下方向に対して斜め向きや横向きに並ぶ配列で使用する形態に変化してしまうことがある。このため、使用者が意図しないブラシ配列での使用となり、使い勝手が悪いという問題点がある。
【発明の概要】
【発明が解決しようとする課題】
【０００８】
本発明は、前述のような問題点に鑑みてなされたもので、ノズルキャップに対するブラシアタッチメントのノズルキャップ回りの装着位置を複数段階に調節することができ、これによって噴射モードの切り替えのためにノズルキャップの回転操作を行っても、使用者の意図するブラシ配列で使用することができるブラシアタッチメントおよびブラシアタッチメント付スプレー装置を提供することを目的とするものである。
【課題を解決するための手段】
【０００９】
前記目的を達成するために、第１発明によるブラシアタッチメントは、
外周面に複数の位置決め溝が周方向に所定間隔で形成され、液体を噴射するノズル部に螺着されてそのノズル部に対するねじ込み量を操作することで液体の噴射モードを切り替えるノズルキャップに装着されるブラシアタッチメントであって、
前記ノズルキャップが差し込まれる差込口を有し、この差込口の内周面に、前記位置決め溝と係合する位置決め突起を形成したことを特徴とするものである。
【００１０】
次に、第２発明によるブラシアタッチメント付スプレー装置は、
ノズル部を有するスプレー装置本体と、前記ノズル部に螺着されてそのノズル部に対するねじ込み量を操作することで液体の噴射モードを切り替えるノズルキャップと、前記ノズルキャップが差し込まれる差込口を有するブラシアタッチメントとを備えるブラシアタッチメント付スプレー装置であって、
前記ノズルキャップの外周面および前記ブラシアタッチメントにおける前記差込口の内周面のうちの少なくとも一方に、複数の位置決め溝を周方向に所定間隔で形成し、前記ノズルキャップの外周面および前記ブラシアタッチメントにおける前記差込口の内周面のうちの他方に、前記位置決め溝と係合する位置決め突起を形成したことを特徴とするものである。
【００１１】
第２発明において、前記スプレー装置本体は、前記ノズル部の基端側に、そのノズル部の中心軸線から外周までの距離が周方向で変化する断面非円形状部を有し、前記ノズル部回りに前記ブラシアタッチメントが前記ノズルキャップと共に回転するのを止めるように前記断面非円形状部に係合する係止突起を前記ブラシアタッチメントに設けるのが好ましい（第３発明）。
【００１２】
第２発明において、前記ブラシアタッチメント側および前記スプレー装置本体側のいずれか一方に係止突起を、他方に係止開口部を設け、これら係止突起と係止開口部とを係合させることにより、前記ノズル部回りに前記ブラシアタッチメントが前記ノズルキャップと共に回転するのを止めるようにするのが好ましい（第４発明）。
【発明の効果】
【００１３】
本発明によれば、例えばノズルキャップの外周面に設けられた複数の位置決め溝とブラシアタッチメントの差込口内周面に設けられた位置決め突起との係合位置を切り替えることによって、ノズルキャップに対するブラシアタッチメントのノズルキャップ回りの装着位置を複数段階に調節することができる。したがって、噴射モードの切り替えのためにノズルキャップの回転操作を行っても、使用者の意図するブラシ配列で使用することができる。
【００１４】
ここで、スプレー装置本体に係合する係止突起をブラシアタッチメントに設けることにより、あるいはブラシアタッチメント側およびスプレー装置本体側のいずれか一方に係止突起を、他方に係止開口部を設け、これら係止突起と係止開口部とを係合させることにより、ノズル部回りにブラシアタッチメントがノズルキャップと共に回転するのを止めるようにすれば、例えば網戸やタイル目地などの汚れ等をブラシで掻き落とす洗浄作業の際に、ブラシアタッチメントを回転させるような力がブラシアタッチメントに不意に作用したとしても、現在選択している噴射モードを安定的に維持することができるとともに、使用者の意図するブラシ配列でブラシアタッチメントによる洗浄作業を安定的に行うことができる。
【図面の簡単な説明】
【００１５】
【図１】本発明の一実施形態に係るブラシアタッチメント付スプレー装置の使用状態を示す側面図で、（ａ）はブラシアタッチメントの縦位置での使用態様図、（ｂ）はブラシアタッチメントの横位置での使用態様図である。
【図２】同ブラシアタッチメント付スプレー装置の使用状態を示す平面図で、（ａ）はブラシアタッチメントの縦位置での使用態様図、（ｂ）はブラシアタッチメントの横位置での使用態様図である。
【図３】ブラシアタッチメントとノズルキャップとの２段階の装着位置の説明図で、（ａ）はブラシアタッチメントの縦位置でのスプライン嵌合の様子を示す図、（ｂ）はブラシアタッチメントの横位置でのスプライン嵌合の様子を示す図である。
【図４】ブラシアタッチメントの係止手段の他の態様例を示す図で、（ａ）は係止前状態図、（ｂ）係止後状態図である。
【発明を実施するための形態】
【００１６】
次に、本発明によるブラシアタッチメントおよびブラシアタッチメント付スプレー装置の具体的な実施の形態について、図面を参照しつつ説明する。
【００１７】
＜ブラシアタッチメント付スプレー装置の概略説明＞
図１（ａ）に示されるように、本実施形態のブラシアタッチメント付スプレー装置１は、例えばペットボトル等の液体容器２に装着してその液体容器２内の洗浄水等の液体を洗浄等の目的で噴出するスプレー装置３と、このスプレー装置３の前部に着脱自在に装着されるブラシアタッチメント４とを備え、その殆どの部分が軽くて丈夫な樹脂製材料によって構成されている。
【００１８】
＜スプレー装置の説明＞
スプレー装置３は、その本体部分を構成するスプレー装置本体５と、スプレー装置本体５の後部に一体的に連設されるグリップ部６とにより構成されている。
【００１９】
図２（ａ）に示されるように、スプレー装置本体５は、左右方向に所定間隔で配される左面板部７および右面板部８を有し、これら左右の面板部７，８の前端部同士が前面板部９によって一体的に連結されている。
スプレー装置本体５の前部には、前面板部９から前方に突出するようにノズル部１０が形成され、このノズル部１０から前方に液体を噴出することができるようになっている。
【００２０】
図１（ａ）に示されるように、スプレー装置本体５の下部には、液体容器２内の底部へと垂れ下がるように可撓性のパイプ１１が取り付けられている。
スプレー装置本体５の内部には、パイプ１１が取り付けられる部分とノズル部１０とを繋ぐように液体通路１２が形成されるとともに、この液体通路１２を開閉する開閉弁１３が内蔵されている。
スプレー装置本体５の上部には、前後方向に延びる扁平な形状の操作レバー１４が枢着されている。なお、操作レバー１４は、開閉弁１３と共に図示されてない圧縮コイルばね等の付勢手段によって上方に付勢されている。
【００２１】
ブラシアタッチメント付スプレー装置１においては、グリップ部６の内部に組み込まれた図示されない空気圧入機構を把手１６の押し引き操作にて駆動することにより、液体容器２内に空気を圧入して液体容器２の内圧を高め、操作レバー１４の押込操作によって開閉弁１３を開くことにより、液体容器２内の液体をパイプ１１、開閉弁１３、液体通路１２およびノズル部１０を介して噴射することができるようになっている。
【００２２】
図３（ａ）に示されるように、スプレー装置本体５におけるノズル部１０の基端側近傍部位は、左右の面板部７，８と、操作レバー１４の上面と、前面板部９の下端部からスプレー装置本体５の中間部位に向かって湾曲状に延びる下面板部１９とによって、ノズル部１０の中心軸線から外周までの距離が周方向で変化する断面非円形状部２０とされている。
【００２３】
＜ノズルキャップの説明＞
ノズル部１０には、その外周面に形成された雄螺子に螺合する雌螺子を内周面に有するノズルキャップ２１が螺着され、ノズル部１０に対するノズルキャップ２１のねじ込み量を操作することにより、噴射モードを切り替えることができるようになっている。すなわち、ノズル部１０に対してノズルキャップ２１を緩めると、ノズルキャップ２１から液体を一直線状に勢い良く噴射するジェットモードにすることができる一方、ノズルキャップ２１を締めると、ノズルキャップ２１から液体を放射状または霧状に拡散させて噴射するシャワーモードにすることができる。
ノズルキャップ２１の外周面の全域には、液体噴出方向に細長く延びる複数のスプライン歯状の位置決め突起２２およびスプライン溝状の位置決め溝２３が周方向に交互に所定間隔で形成されている。
【００２４】
＜ブラシアタッチメントの説明＞
ブラシアタッチメント４は、密集状態で集合される所定本数のブラシを一単位のブラシユニット３０として、複数のブラシユニット３０が取付ベース部材３１に所定の配置で取り付けられて構成されている。
取付ベース部材３１は、液体噴出方向に貫通しノズルキャップ２１が差し込み可能な差込口３２を有する筒状部３３を備え、この筒状部３３の先端部において液体噴出方向と直角を成して外向きに張り出すように一対の張出部３４，３５がその筒状部３３に一体的に設けられてなるものである。
【００２５】
ブラシアタッチメント４においては、正面視でブラシ先端が一列に並ぶ形状になるとともに、一対の張出部３４，３５における一方の張出部３４から他方の張出部３５に向かって進むに従ってブラシ長さが次第に短くなって側面視で斜めにカットされたような形状となるように、複数のブラシユニット３０が、筒状部３３および一対の張出部３４，３５のそれぞれの前面に植設されている。
【００２６】
筒状部３３における差込口３２の内周面には、液体噴出方向に細長く延びる複数のスプライン歯状の位置決め突起３６およびスプライン溝状の位置決め溝３７が周方向に交互に所定間隔で形成されている。差込口３２の内周面に形成された位置決め突起３６は、ノズルキャップ２１に形成された位置決め溝２３と係合可能とされ、差込口３２の内周面に形成された位置決め溝３７は、ノズルキャップ２１に形成された位置決め突起２２と係合可能とされている。
さらに、筒状部３３には、当該筒状部３３の後端から後方に突出する一対の係止突起３８，３９が径方向に対称配置で形成されている。
【００２７】
本実施形態においては、ブラシアタッチメント４のノズルキャップ２１回りの装着位置として、主に、図３（ａ）に示されるような縦位置と、同図（ｂ）に示されるような横位置とがあり、ブラシアタッチメント４が縦位置または横位置からノズル部１０回りにノズルキャップ２１と共に回転するのを止めるように一対の係止突起３８，３９が断面非円形状部２０に係合するようにされている。
ここで、ブラシアタッチメント４の縦位置とは、取付ベース部材３１に植設された複数のブラシユニット３０が上下方向に一列に並ぶようなブラシ配列となるように、ブラシアタッチメント４の位置決め突起３６とノズルキャップ２１の位置決め溝２３とを嵌合させるとともに、ブラシアタッチメント４の位置決め溝３７とノズルキャップ２１の位置決め突起２２とを嵌合させたときに定まる位置である。一方、ブラシアタッチメントの横位置とは、取付ベース部材３１に植設された複数のブラシユニット３０が左右方向に一列に並ぶようなブラシ配列となるように、ブラシアタッチメント４の位置決め突起３６とノズルキャップ２１の位置決め溝２３とを嵌合させるとともに、ブラシアタッチメント４の位置決め溝３７とノズルキャップ２１の位置決め突起２２とを嵌合させたときに定まる位置である。
【００２８】
ブラシアタッチメント４が縦位置の場合には、図２（ａ）に示されるように、一対の係止突起３８，３９が左右の面板部７，８と向い合せで近接し、ブラシアタッチメント４がノズルキャップ２１と共にノズル部１０に対して回転しようとしたときに、一対の係止突起３８，３９が左右の面板部７，８と係合接触してその回転が止められるようになっている。
一方、ブラシアタッチメント４が横位置の場合には、図１（ｂ）に示されるように、一対の係止突起３８，３９が若干の隙間を存して操作レバー１４の上面および下面板部１９と向い合せとなり、ブラシアタッチメント４がノズルキャップ２１と共にノズル部１０に対して回転しようとしたときに、図２（ｂ）において操作レバー１４の上面と向かい合っている係止突起３８が、操作レバー１４と左右いずれか一方の面板部７，８との交わりの角部に係合接触してその回転が止められるようになっている。
【００２９】
＜作用効果の説明＞
本実施形態によれば、位置決め突起３６，２２と位置決め溝２３，３７との嵌合位置を切り替えることによって、ノズルキャップ２１に対するブラシアタッチメント４のノズルキャップ２１回りの装着位置を複数段階に調節することができる。したがって、噴射モードの切り替えのためにノズルキャップ２１の回転操作を行っても、使用者の意図するブラシ配列、例えばブラシアタッチメント４を縦位置のまま、あるいは横位置のままで使用することができる。
【００３０】
また、ブラシアタッチメント４の縦位置または横位置において、スプレー装置本体５の断面非円形状部２０に係合する一対の係止突起３８，３９をブラシアタッチメント４に設けることにより、ブラシアタッチメント４の縦位置または横位置で例えば網戸やタイル目地などの汚れ等をブラシで掻き落とす洗浄作業の際に、ブラシアタッチメント４を回転させるような力がブラシアタッチメント４に不意に作用したとしても、現在選択している噴射モードを安定的に維持することができるとともに、使用者の意図するブラシ配列、つまり縦位置または横位置でブラシアタッチメント４による洗浄作業を安定的に行うことができる。
【００３１】
以上、本発明のブラシアタッチメントおよびブラシアタッチメント付スプレー装置について、一実施形態に基づいて説明したが、本発明は上記実施形態に記載した構成に限定されるものではなく、その趣旨を逸脱しない範囲において適宜その構成を変更することができるものである。
【００３２】
上記の実施形態においては、スプレー装置本体５の断面非円形状部２０に係合する一対の係止突起３８，３９をブラシアタッチメント４に設けることにより、ノズル部１０回りにブラシアタッチメント４がノズルキャップ２１と共に回転するのを止めるようにしたが、これに限定されるものではなく、ブラシアタッチメント４側およびスプレー装置本体５側のいずれか一方に係止突起を、他方に係止開口部を設け、これら係止突起と係止開口部とを係合させることにより、ノズル部回りにブラシアタッチメントがノズルキャップと共に回転するのを止めるようにしてもよい。
【００３３】
例えば、図４（ａ）に示されるように、ブラシアタッチメント４側においては、その取付ベース部材３１における筒状部３３の後端面に多数の係止突起４１を周方向に所定間隔で設ける。一方、スプレー装置本体５側においては、それら多数の係止突起４１と係合可能な多数の係止開口部４２が設けられた円環板状部材４３をノズル部１０と前面板部９との境界部に固着する（あるいは予め一体成形する）。そして、図４（ｂ）に示されるように、ブラシアタッチメント４側に設けられた多数の係止突起４１と、スプレー装置本体５側に設けられた多数の係止開口部４２とを係合させることにより、ノズル部１０回りにブラシアタッチメント４がノズルキャップ２１と共に回転するのを止めることができる。
【００３４】
上述した本実施形態では、一対の係止突起３８，３９と断面非円形状部２０との係合でブラシアタッチメント４の縦位置と横位置との２位置でしか回転防止効果を奏し得ないが、図４に示される態様例によれば、ノズルキャップ２１に対するブラシアタッチメント４の縦位置や横位置だけでなく、その他の多段階の各装着位置において、係止突起４１と係止開口部４２との係合によってノズル部１０回りにブラシアタッチメント４がノズルキャップ２１と共に回転するのを確実に止めることができる。
【００３５】
なお、上記の図４に示される態様例とは逆に、係止突起４１と同様の係止突起を円環板状部材４３に多数配設し、係止開口部４２と同様の係止開口部を筒状部３３の後端面に多数配設するようにしても、上記の図４に示される態様例と同様の作用効果を得ることができるのは言うまでもない。
【００３６】
また、図示による詳細な説明は省略するが、筒状部３３の後端面に複数の係止凹部と係止凸部とを周方向に交互に設け、円環板状部材４３の前面に対応する複数の係止凸部と係止凹部とを周方向に交互に設け、互いの係止凹部と係止凸部とを係合させることにより、ノズル部回りにブラシアタッチメントがノズルキャップと共に回転するのを止めるようにしてもよい。
【産業上の利用可能性】
【００３７】
本発明のブラシアタッチメントおよびブラシアタッチメント付スプレー装置は、ノズルキャップに対するブラシアタッチメントのノズルキャップ回りの装着位置を複数段階に調節することができ、これによって噴射モードの切り替えのためにノズルキャップの回転操作を行っても、使用者の意図するブラシ配列で使用することができるという特性を有していることから、例えば網戸やサッシ、タイル目地などの汚れ等の洗浄の用途に好適に用いることができ、産業上の利用可能性が大である。
【符号の説明】
【００３８】
１          ブラシアタッチメント付スプレー装置
４          ブラシアタッチメント
５          スプレー装置本体
１０        ノズル部
２０        断面非円形状部
２１        ノズルキャップ
２２，３６  位置決め突起
２３，３７  位置決め溝
３２        差込口
３８，３９  係止突起
４１        係止突起
４２        係止開口部
【要約】      （修正有）【課題】ノズルキャップに対するブラシアタッチメントのノズルキャップ回りの装着位置を複数段階に調節することができ、これによって噴射モードの切り替えのためにノズルキャップの回転操作を行っても、使用者の意図するブラシ配列で使用することができるブラシアタッチメントおよびブラシアタッチメント付スプレー装置を提供する。【解決手段】スプレー装置本体５のノズル部１０に対するねじ込み量を操作することで液体の噴射モードを切り替えるノズルキャップ２１が差し込まれる差込口３２を有するブラシアタッチメント４およびそれを備えるブラシアタッチメント付スプレー装置において、ノズルキャップ２１の外周面に複数の位置決め溝２３を周方向に所定間隔で形成し、ブラシアタッチメント４における差込口３２の内周面に前記位置決め溝２３と係合する位置決め突起３６を形成する。【選択図】図３【図１】
0006005819.tif 000002
【図２】
0006005819.tif 000003
【図３】
0006005819.tif 000004
【図４】
0006005819.tif 000005